(57)【特許請求の範囲】
【請求項１】
多数の物品の供給を受けて分散させる分散部と、
前記分散部から放射状に延びるように配置され、前記分散部により分散された前記物品を受け、前記分散部から遠ざかる方向に搬送する、複数の放射フィーダと、
前記分散部の直上の空間から外れた位置に配置され、前記分散部および前記放射フィーダの画像を撮影する複数のカメラと、
前記カメラの撮影した前記画像を合成して前記分散部および前記放射フィーダの平面視画像を生成する処理部と、
前記平面視画像を出力する出力部と、
を備えた組合せ計量装置。
【請求項２】
設定部をさらに備え、
前記設定部は、第１期間に前記カメラによって撮影された前記画像を基に、第２期間に前記処理部が前記カメラにより撮影された前記画像を用いて前記平面視画像を生成するための設定を行う、
請求項１に記載の組合せ計量装置。
【請求項３】
入力部をさらに備え、
前記設定部は、前記入力部に入力された基準点情報に基づいて前記設定を行う、
請求項２に記載の組合せ計量装置。
【請求項４】
前記出力部には、前記平面視画像と同時に、前記分散部および／又は前記放射フィーダの稼働状態が出力される、
請求項１から３のいずれか１項に記載の組合せ計量装置。
【請求項５】
前記出力部には、前記平面視画像内の前記分散部および／又は各前記放射フィーダに対応する位置に、前記分散部および／又は各前記放射フィーダに関する稼動状態が出力される、
請求項４に記載の組合せ計量装置。
【請求項６】
前記放射フィーダの前記方向の前方側の端部の下方にそれぞれ配置され、前記放射フィーダから前記物品を受け、受けた前記物品の計量を行う、複数の計量部と、
前記計量部の計量結果を基に、前記放射フィーダ別の搬送量を算出する算出部と、
をさらに備え、
前記出力部には、前記平面視画像と同時に、前記算出部の算出結果が出力される、
請求項１から５のいずれか１項に記載の組合せ計量装置。
【請求項７】
前記出力部には、前記平面視画像内の各前記放射フィーダに対応する位置に、各前記放射フィーダに関する前記算出結果が出力される、請求項６に記載の組合せ計量装置。
【請求項８】
前記放射フィーダには、各前記放射フィーダを識別するための符号がそれぞれ付され、
前記出力部には、前記平面視画像と同時に、前記平面視画像内の各前記放射フィーダに対応する位置に、前記符号が出力される、
請求項１から７のいずれか１項に記載の組合せ計量装置。
【請求項９】
前記出力部は、前記平面視画像を、前記平面視画像内の前記分散部の図心を回転中心として平面内で回転させて出力する、
請求項１から８のいずれか１項に記載の組合せ計量装置。
【請求項１０】
前記分散部、前記放射フィーダ、及び前記カメラを支持する支持部を更に備え、
前記カメラは、前記支持部の上方であって、前記放射フィーダの直上を外れた位置に配置される、
請求項１から９のいずれか１項に記載の組合せ計量装置。
【請求項１１】
前記カメラは、水平画角が９０°以上のレンズを有する、
請求項１０に記載の組合せ計量装置。
【発明の詳細な説明】
【技術分野】
【０００１】
本発明は、複数の物品の計量値の組合せ演算を行う組合せ計量装置に関する。
【背景技術】
【０００２】
従来、組合せ計量装置において、物品の供給を受けた分散部およびフィーダの状態を確認するため、カメラが設けられる場合がある。例えば、特許文献１（特許第３３２５８９７号公報）には、分散部（分散フィーダ）の直上と、フィーダ（駆動フィーダ）の周方向に沿う方向と、分散部およびフィーダの斜め上方と、にカメラを設けた事例が開示されている。
【０００３】
一般に、組合せ計量装置を制御する制御盤（制御部）は、分散部およびフィーダと離れた位置に配置されることが多い。そのため、特に、特許文献１のように分散部の直上にカメラを設け、分散部および放射フィーダを見下ろした画像を作業員が制御盤近くで見ることができれば、作業員は制御盤で操作を行いながら分散部およびフィーダの状態を容易に把握でき利便性が高い。
【発明の概要】
【発明が解決しようとする課題】
【０００４】
しかし、実際には、分散部の直上にカメラを設置することは、製品への異物混入の観点から実現が難しい場合が多い。また、組合せ計量装置を設置する建屋の天井高さ等の問題で、分散部の直上にカメラを設置できないことも多い。さらに、分散部の直上には、分散部まで物品を移送する供給コンベア等が配置されるため、供給コンベア等によるカメラの死角が生じやすい。
【０００５】
一方、分散部およびフィーダを斜め上方から又は水平方向から、分散部およびフィーダの状態をカメラで撮影することは可能な場合が多い。しかし、このような画像からは、物品の分散や搬送の概況は把握できても、物品の搬送量等を作業員が直感的に把握することは難しい。つまり、分散部およびフィーダを斜め上方から又は水平方向から撮影した画像では、作業員が十分な情報を得られるとは言い難い。
【０００６】
本発明の課題は、組合せ計量部の分散部の直上に分散部およびフィーダを俯瞰できるカメラを設置することが困難な場合に、分散部およびフィーダの状態を容易に把握可能な組合せ計量装置を提供することにある。
【課題を解決するための手段】
【０００７】
本発明に係る組合せ計量装置は、分散部と、複数の放射フィーダと、複数のカメラと、処理部と、出力部と、を備える。分散部は、多数の物品の供給を受けて分散させる。放射フィーダは、分散部から放射状に延びるように配置され、分散部により分散された物品を受け、分散部から遠ざかる方向に搬送する。カメラは、分散部の直上の空間から外れた位置に配置され、分散部および放射フィーダの画像を撮影する。処理部は、カメラの撮影した画像を合成して分散部および放射フィーダの平面視画像を生成する。出力部は、平面視画像を出力する。
【０００８】
ここでは、組合せ計量装置は、分散部および放射フィーダを分散部の直上以外の空間から撮影する複数のカメラを備え、カメラの撮影画像を合成して分散部と放射フィーダの平面視画像を生成し、出力する。分散部および放射フィーダの平面視画像が出力されるので、分散部の直上の空間にカメラを設けることが難しい場合でも、作業員が分散部および放射フィーダの状態を正確にかつリアルタイムで把握できる。そのため、異常発生時にも、作業員が平面視画像をもとに異常原因を推定し、直ちに必要な対応をとることが容易になる。
【０００９】
さらに、複数のカメラの撮影画像を合成することで平面視画像が生成されるので、物品の供給コンベア等の遮蔽物により１台のカメラの撮影した画像ではカメラに写らない死角が生じる場合でも、遮蔽物の影響を受けることなく分散部と放射フィーダの状態を把握しやすい。
【００１０】
また、本発明に係る組合せ計量装置は、設定部をさらに備えることが望ましい。設定部は、第１期間にカメラによって撮影された画像を基に、第２期間に処理部がカメラにより撮影された画像を用いて平面視画像を生成するための設定を行うことが望ましい。
【００１１】
ここでは、設定部が、第１期間（初期設定時やメンテナンス時等）にカメラによって撮影された画像を基に、平面視画像の生成のための設定を行う。つまり、カメラの位置を変えても、第１期間にその位置で撮影されたカメラの画像に基づいて、平面視画像を生成できる。その結果、カメラの設置位置を現場状況に応じて変更できる。すなわち、カメラの設置位置に制限がある場合でも、分散部と放射フィーダとの平面視画像を得ることが容易である。
【００１２】
さらに、本発明に係る組合せ計量装置は、入力部をさらに備えることが望ましい。設定部は、入力部に入力された基準点情報に基づいて設定を行うことが望ましい。
【００１３】
ここでは、入力部からの基準点情報を用いることで、平面視画像の生成のための設定が正確に実行される。その結果、正確な平面視画像を得ることが容易になる。
【００１４】
また、本発明に係る組合せ計量装置の出力部には、平面視画像と同時に、分散部および／又は放射フィーダの稼働状態が出力されることが望ましい。
【００１５】
ここでは、平面視画像と、分散部および／又は放射フィーダの稼働状態が同時表示されるため、分散部や放射フィーダが適切に稼働しているかを１つの画面で認識可能である。その結果、例えば異常時等に、作業員がどのような対策をとればよいかを適切に判断することが容易になる。
【００１６】
さらに、出力部には、平面視画像内の分散部および／又は各放射フィーダに対応する位置に、分散部および／又は各放射フィーダの稼動状態が出力されることが望ましい。
【００１７】
ここでは、平面視画像と、分散部および／又は各放射フィーダの稼動状態とを関連付けて把握することが容易で、作業員の利便性を高めることができる。
【００１８】
また、本発明に係る組合せ計量装置は、複数の計量部と、算出部とをさらに備えることが望ましい。計量部は、放射フィーダの分散部から遠ざかる方向の前方側の端部の下方にそれぞれ配置され、放射フィーダから物品を受け、受けた物品の計量を行うことが望ましい。算出部は、計量部の計量結果を基に、放射フィーダ別の搬送量を算出することが望ましい。出力部には、平面視画像と同時に、算出部の算出結果が出力されることが望ましい。
【００１９】
ここでは、分散フィーダの搬送量が平面視画像と共に表示される。そのため、作業員が平面視画像と分散フィーダの搬送状態とを関連付けて把握すること容易である。その結果、例えば異常時等に、作業員がどのような対策をとればよいかを適切に判断することが容易になる。
【００２０】
さらに、出力部には、平面視画像内の各放射フィーダに対応する位置に、各放射フィーダに関する算出結果が出力されることが望ましい。
【００２１】
ここでは、平面視画像と分散フィーダの搬送量とを関連付けて把握することがさらに容易で、作業員の利便性が高められる。
【００２２】
また、放射フィーダには、各放射フィーダを識別するための符号がそれぞれ付されることが望ましい。出力部には、平面視画像と同時に、平面視画像内の各放射フィーダに対応する位置に、符号が出力されることが望ましい。
【００２３】
ここでは、平面視画像の各放射フィーダに対応する位置に、放射フィーダを識別するための符号が同時表示されるため、平面視画像から、どの放射フィーダに問題が発生しているかが正確に把握できる。
【００２４】
また、出力部は、平面視画像を、平面視画像内の分散部の図心を回転中心として平面内で回転させて出力することが望ましい。
【００２５】
ここでは、作業員が、最も把握しやすい状態に平面視画像を回転させて出力することが可能である。その結果、作業員が平面視画像の内容を誤認することを防止できる。
【００２６】
また、本発明に係る組合せ計量装置は、支持部を更に備えることが望ましい。支持部は、分散部、放射フィーダ、カメラを支持することが望ましい。カメラは、支持部の上方であって、放射フィーダの直上を外れた空間に配置されることが望ましい。
【００２７】
ここでは、組合せ計量装置の支持部の上方にカメラが配置されるため、カメラが作業員の作業や通行の邪魔になりにくい。組合せ計量装置の周囲には作業員の作業通路が配置されることが多いが、カメラを組合せ計量装置の支持部の上方に配置すれば、作業員の通行や作業に影響を与えることが少ない。また、作業員がカメラにぶつかり負傷する等の事故を未然に防ぐことができる。
【００２８】
さらに、カメラは、水平画角が９０°以上のレンズを有することが望ましい。
【００２９】
ここでは、撮影対象の近くに（組合せ計量装置の支持部の上方に）カメラを配置しても、少ないカメラの台数で、分散部および放射フィーダの平面視画像を生成するために必要な画像を得ることができ、カメラの設置費用を抑制できる。
【発明の効果】
【００３０】
本発明に係る組合せ計量装置は、分散部および放射フィーダを分散部の直上以外の空間から撮影する複数のカメラを備え、カメラの撮影画像を合成して分散部と放射フィーダの平面視画像を生成し、出力する。分散部および放射フィーダの平面視画像が出力されるので、分散部の直上の空間にカメラを設けることが難しい場合でも、作業員が分散部および放射フィーダの状態を正確にかつリアルタイムで把握できる。
【図面の簡単な説明】
【００３１】
【図１】本発明の一実施形態に係る組合せ計量装置の縦断面概略図である。
【図２】組合せ計量装置の概略平面図である。放射フィーダ、プールホッパの参照符号の一部を省略している。
【図３】組合せ計量装置の制御ブロック図である。
【図４】カメラにより撮影される画像の一例を示す概要図である。カメラで撮影される画像は動画である。なお、本図面では、分散テーブルおよび放射フィーダの部分の画像のみを示している。
【図５】画像処理部で生成される平面視画像の一例を示す図である。平面視画像は動画である。ヘッド、放射フィーダ、プールホッパの参照符号の一部を省略している。
【図６】タッチパネルに表示される表示の一例を示す図である。
【図７】画像回転ボタンを押すことで、図６のタッチパネルに表示される表示が変更された（回転した）状況を示す図である。
【図８】リニアタイプの組合せ計量装置を示す概略平面図である。
【発明を実施するための形態】
【００３２】
（１）全体構成
本発明の一実施形態に係る組合せ計量装置１を図１に示す。組合せ計量装置１は、複数の計量ホッパ５内の物品の計量値を組合せ演算し、組合せ演算の結果が所定の許容範囲内の値となる物品の組合せを選択し、その組合せに含まれる計量ホッパ５内の物品を組合せ計量装置１外に排出する。
【００３３】
組合せ計量装置１は、図示しない包装器等の上方に配置されるよう、架台９１の上方に設置される。組合せ計量装置１の四方には、作業員が異常時やメンテナンス時等に組合せ計量装置１にアクセスできるよう作業通路９２が設けられる。
【００３４】
組合せ計量装置１は、分散テーブル２と、１４個のヘッド４０と、集合排出シュート６と、タッチパネル１０と、制御部３０と、２台のカメラ６０と、を有する。ヘッド４０の数は例示であり、これに限定されるものではない。
【００３５】
ヘッド４０は、図２のように、平面視において、分散テーブル２を中心として、環状に配置されている。ヘッド４０には、それぞれ１〜１４の番号が識別のための符号として付されている。各ヘッド４０−１〜１４は、図２のように、符号の番号が反時計回りに大きくなるように配置されている。それぞれのヘッド４０は、放射フィーダ３、プールホッパ４、および計量ホッパ５を有する。各ヘッド４０−１〜１４に属する放射フィーダ３、プールホッパ４、および計量ホッパ５には、識別のための符号として各ヘッド４０−１〜１４と同じ番号が付されている。
【００３６】
（２）詳細構成
（２−１）分散テーブル
分散テーブル２は、扁平な円錐テーブル状の部材である。分散テーブル２は、分散テーブル２の上方にある供給コンベア９０から被計量物である物品を受ける。分散テーブル２は、図示しない電磁石により振動させられることで、供給コンベア９０から受けた物品を周方向に分散させながら半径方向に搬送し、放射フィーダ３に物品を供給する。分散テーブル２は分散部の一例である。
【００３７】
分散テーブル２から放射フィーダ３に搬送される物品の量は、主に分散テーブル２の振動強度により制御される。分散テーブル２の振動強度とは、後述する制御部３０の加振部３５ａが、分散テーブル２の図示しない電磁石を用いて発生させる、分散テーブル２の振動の振幅の大きさに関する数値である。分散テーブル２の振動強度の初期設定値は、後述する制御部３０の記憶部３４に記憶されている。作業員は、後述するタッチパネル１０から、記憶部３４に記憶された分散テーブル２の振動強度を更新可能である。
【００３８】
（２−２）放射フィーダ
放射フィーダ３は、分散テーブル２の周囲に放射状に延びるように配置される。放射フィーダ３は、分散テーブル２により分散された物品を受ける。各放射フィーダ３−１〜１４は、図示しない電磁石により振動させられることで、物品を各放射フィーダ３−１〜１４の外縁に向かって半径方向に搬送する。すなわち、各放射フィーダ３−１〜１４は、分散テーブル２から遠ざかる方向に物品を搬送する。各放射フィーダ３−１〜１４により搬送された物品は、各放射フィーダ３−１〜１４の外縁側下方に配置されたプールホッパ４−１〜１４に供給される。
【００３９】
各放射フィーダ３−１〜１４により搬送される物品の量は、主に放射フィーダ３−１〜１４別の振動強度と振動時間により制御される。放射フィーダ３の振動強度とは、後述する制御部３０の加振部３５ａが、放射フィーダ３の図示しない電磁石を用いて発生させる、放射フィーダ３の振動の振幅の大きさに関する数値である。放射フィーダ３の振動時間とは、後述する制御部３０の加振部３５ａが、放射フィーダ３の振動を開始させてから振動を停止させるまでの１サイクルの時間である。各放射フィーダ３−１〜１４の振動強度および振動時間の初期設定値は、後述する制御部３０の記憶部３４に記憶されている。作業員は、後述するタッチパネル１０から、記憶部３４に記憶された各放射フィーダ３−１〜１４の振動強度および振動時間を更新可能である。
【００４０】
（２−３）プールホッパ
各プールホッパ（ＰＨ）４−１〜１４は、そのプールホッパ４−１〜１４が属するヘッド４０−１〜１４の各放射フィーダ３−１〜１４の外縁側下方に配置される。各プールホッパ（ＰＨ）４−１〜１４には、上方に配置された放射フィーダ３−１〜１４から供給される物品が一時的に貯留される。
【００４１】
プールホッパ４は、その下部にＰＨゲート４ａを有する。ＰＨゲート４ａが開くと、プールホッパ４の下方に配置された計量ホッパ５に物品が供給される。ＰＨゲート４ａは、図示しないリンク機構が、図３に示すステッピングモータ４０ａ−１〜１４により動作させられることで開閉する。ステッピングモータ４０ａ−１〜１４は、後述する制御部３０のＰＨ開閉部３５ｄの指令により動作する。各ＰＨゲート４ａの開閉動作は、他のＰＨゲート４ａの開閉動作と連動していない。つまり、各ＰＨゲート４ａの開閉動作は独立している。
【００４２】
（２−４）計量ホッパ
計量ホッパ（ＷＨ）５は計量部の一例である。各計量ホッパ５−１〜１４は、その計量ホッパ５−１〜１４が属するヘッド４０−１〜１４の各プールホッパ４−１〜１４の直下に配される。つまり、計量ホッパ５−１〜１４は、放射フィーダ３−１〜１４の外縁側下方に配置される。各計量ホッパ５−１〜１４は、プールホッパ４−１〜１４から供給された物品の重量、すなわち放射フィーダ３−１〜１４からプールホッパ４−１〜１４を介して供給された物品の重量を、図３に示すロードセル２０−１〜１４により計量する。
【００４３】
計量ホッパ５は、その下部にＷＨゲート５ａを有する。ＷＨゲート５ａは、図示しないリンク機構が、図３に示すステッピングモータ５０ａ−１〜１４により動作させられることで開閉する。ステッピングモータ５０ａ−１〜１４は、後述する制御部３０のＷＨ開閉部３５ｅの指令により動作する。各ＷＨゲート５ａの開閉動作は、他のＷＨゲート５ａの開閉動作と連動していない。つまり、各ＷＨゲート５ａの開閉動作は独立している。
【００４４】
図３に示すロードセル２０−１〜１４は、各計量ホッパ５−１〜１４に保持される物品を計量する。ロードセル２０−１〜１４の物品の計量結果は計量信号として出力される。計量信号は、図示しない増幅器を介して後述する制御部３０のマルチプレクサ３１に随時送信される。ロードセル２０−１〜１４は、特開２００１−３４３２９４号公報に記載されているような歪みゲージを含むロードセルであり、可動部と固定部とを有する起歪体の荷重負荷に伴う変位を歪みゲージの抵抗変化によって検出し、その検出結果を計量信号としてマルチプレクサ３１に送信する。
【００４５】
（２−５）集合排出シュート
集合排出シュート６は、計量ホッパ５から供給される物品を集合させて組合せ計量装置１外に排出する。排出された物品は、集合排出シュート６の下方に配置される図示しない包装機等に供給される。
【００４６】
（２−６）制御部
制御部３０は、図３のように、ＣＰＵ、記憶部３４、マルチプレクサ３１、Ａ／Ｄ変換器３２、ＤＳＰ（デジタルシグナルプロセッサ）３３等を備える。記憶部３４はＲＯＭやＲＡＭ等からなる。
【００４７】
ＣＰＵは、制御部３０において制御を担い、記憶部３４に記憶されているプログラムを読み出し、演算処理部３５として各種制御を実行する。演算処理部３５は、図３のように、加振部３５ａ、算出部３５ｂ、組合せ演算部３５ｃ、ＰＨ（プールホッパ）開閉部３５ｄ、ＷＨ（計量ホッパ）開閉部３５ｅ、画像処理部３５ｆ、画像設定部３５ｇ、および出力回転部３５ｈとして機能する。
【００４８】
（２−６−１）マルチプレクサ
マルチプレクサ３１は、後述するＤＳＰ３３の命令に従い、ロードセル２０−１〜１４の計量信号から１の計量信号を選択し、Ａ／Ｄ変換器３２に送信する。
【００４９】
（２−６−２）Ａ／Ｄ変換器
Ａ／Ｄ変換器３２は、マルチプレクサ３１から受け取ったアナログ信号である計量信号を、ＤＳＰ３３から送信されるタイミング信号に従いデジタル信号に変換し、ＤＳＰ３３に送信する。
【００５０】
（２−６−３）ＤＳＰ
ＤＳＰ３３は、Ａ／Ｄ変換器３２から送信されたデジタル信号に対してフィルタ処理を行う。フィルタ処理後の計量信号は、後述する算出部３５ｂに送信され、その後計量ホッパ５に保持されている物品の重量（計量値）として、計量ホッパ５別に記憶部３４に記憶される。
【００５１】
（２−６−４）記憶部
記憶部３４には、ＣＰＵが読み出して実行するためのプログラムや、演算処理のために必要な各種情報やデータ等が記憶される。また、記憶部３４は、基準点位置記憶領域３４ａと、基準点入力記憶領域３４ｂとを有する。
【００５２】
（２−６−４−１）基準点位置記憶領域
基準点位置記憶領域３４ａには、後述する画像設定部３５ｇにおいて使用される基準点の３次元の位置情報が記憶される。基準点位置記憶領域３４ａに記憶された情報は、画像設定部３５ｇにより、後述する画像処理部３５ｆが平面視画像１０１の生成のために使用するパラメータが導出される際に、画像設定部３５ｇの情報呼出部３５ｇａにより呼び出される。
【００５３】
なお、基準点とは、組合せ計量装置１の所定の部分であり、３次元の位置情報が初期値として登録されている点を指す。ここでは、放射フィーダ３の外縁側の角部（例えば、図４の角部３−１ａ，３−５ａ，３−１２ａ等を指す）を指す。
【００５４】
（２−６−４−２）基準点入力記憶領域
基準点入力記憶領域３４ｂには、カメラ６０の撮影画像に対する基準点の２次元の位置情報が記憶される。カメラ６０の撮影画像に対する基準点の２次元の位置情報は、基準点情報であり、タッチパネル１０から入力される。基準点入力記憶領域３４ｂに記憶された情報は、画像設定部３５ｇにより、画像処理部３５ｆが平面視画像１０１の生成のために使用するパラメータが導出される際に、情報呼出部３５ｇａにより呼び出される。
【００５５】
なお、カメラ６０の撮影画像に対する基準点の２次元の位置情報とは、例えば図４のようにタッチパネル１０に表示されるカメラ６０の撮影画像内での基準点の位置情報である。
【００５６】
（２−６−５）演算処理部
（２−６−５−１）加振部
加振部３５ａは、分散テーブル２および放射フィーダ３の振動を制御することで、分散テーブル２および放射フィーダ３による物品の搬送を制御する。
【００５７】
具体的には、加振部３５ａは、分散テーブル２および各放射フィーダ３の下方に設置された図示しない電磁石に電磁力を間欠的に発生させることで、分散テーブル２および放射フィーダ３を振動させる。加振部３５ａは、記憶部３４に記憶された、分散テーブル２および放射フィーダ３−１〜１４の振動強度と、放射フィーダ３−１〜１４の振動時間を用いて振動の制御を行う。その結果、分散テーブル２では、所定の量の物品が分散テーブル２の周方向に分散させられながら、半径方向外向きに放射フィーダ３まで搬送される。各放射フィーダ３−１〜１４では、所定の量の物品が放射フィーダ３−１〜１４の外縁方向にプールホッパ４−１〜１４まで搬送される。
【００５８】
なお、加振部３５ａは、各放射フィーダ３−１〜１４の起動および停止を個別に制御する。つまり、加振部３５ａは、放射フィーダ３−１〜１４の属するヘッド４０−１〜１４のプールホッパ４−１〜１４が空の場合にのみ、その放射フィーダ３−１〜１４を振動させ、物品を搬送させる。
【００５９】
（２−６−５−２）算出部
算出部３５ｂは、ロードセル２０−１〜１４別に、ＤＳＰ３３によりフィルタ処理されたロードセル２０−１〜１４の計量信号を受ける。そしてロードセル２０−１〜１４別の計量信号を、各ロードセル２０−１〜１４の設けられた計量ホッパ５−１〜１４内の物品の重量値（計測値）として記憶部３４に記憶させる。
【００６０】
また、算出部３５ｂでは、放射フィーダ３−１〜１４別の搬送量を算出する処理を行う。ここでは、搬送量を、放射フィーダ３−１〜１４が搬送する物品の量の平均値として求める。より具体的には、算出部３５ｂは、フィルタ処理されたロードセル２０−１〜１４の計量信号から求まる重量値の平均値を計量ホッパ５−１〜１４別（ロードセル２０−１〜１４別）に算出し、その計量ホッパ５−１〜１４の属するヘッド４０−１〜１４の放射フィーダ３−１〜１４の搬送量として記憶部３４に記憶させる。
【００６１】
なお、上記の搬送量の算出方法は一例であり、算出部３５ｂは、搬送量の平均を算出することに代えて、フィルタ処理されたロードセル２０−１〜１４の計量信号から求まる毎回の重量値を、搬送量として算出してもよい。
【００６２】
（２−６−５−３）組合せ演算部
組合せ演算部３５ｃは、記憶部３４に記憶された組合せ演算プログラムを使用し、組合せ演算を行う。より具体的には、組合せ演算部３５ｃは、記憶部３４に記憶されている計量ホッパ５−１〜１４別の物品の重量値を基に、重量値の合計が所定の目標重量範囲になるように組合せ演算を行う。そして、組合せ演算の結果に基づき、複数の計量ホッパ５−１〜１４を選択する。組合せに選択された計量ホッパ５−１〜１４の情報は、ＷＨ開閉部３５ｅに送信される。記憶部３４に記憶されていた物品の重量値のデータのうち、組合せに選択された計量ホッパ５−１〜１４の重量値のデータはリセットされる。
【００６３】
（２−６−５−４）ＰＨ開閉部
ＰＨ開閉部３５ｄは、いずれかの第１計量ホッパ５−１〜１４が空である場合に、その計量ホッパ５−１〜１４の上方に配置されるプールホッパ４−１〜１４のＰＨゲート４ａを、ステッピングモータ４０ａ−１〜１４を動作させて開く。その後、再びステッピングモータ４０ａ−１〜１４を動作させて、ＰＨゲート４ａを閉じる。
【００６４】
（２−６−５−５）ＷＨ開閉部
ＷＨ開閉部３５ｅは、組合せ演算部３５ｃから、組合せ演算により選択された計量ホッパ５−１〜１４の組合せの情報を受け、選択された組合せに含まれる計量ホッパ５−１〜１４のＷＨゲート５ａを、ステッピングモータ５０ａ−１〜１４を動作させて開く。その後、再びステッピングモータ５０ａ−１〜１４を動作させて、ＷＨゲート５ａ−１を閉じる。
【００６５】
（２−６−５−６）画像処理部
画像処理部３５ｆは、２台のカメラ６０により撮影された、図４のような分散テーブル２および放射フィーダ３の斜め上方からの画像（動画）を合成して、図５のような分散テーブル２および放射フィーダ３を分散テーブル２の中心部上方から見た平面視画像１０１（動画）を生成する。平面視画像１０１は、後述するタッチパネル１０に表示される。
【００６６】
図４に示すように、分散テーブル２および放射フィーダ３の斜め上方からのカメラ６０の画像では死角になる部分が存在するが、複数の（本実施例では２台の）カメラ６０により撮影された画像を合成することで、死角のない平面視画像１０１を得ることができる。
【００６７】
平面視画像１０１の生成は、例えば以下のような原理で行われる。
【００６８】
まず、カメラ６０により撮影された画像の座標変換が行われ、仮想の水平面に投影された投影画像が生成される。次に、この投影画像が座標変換され、仮想のカメラ（分散テーブル２の中心部上方に位置する仮想のカメラ）から見た上方視点画像が生成される。この上方視点画像を複数の（ここでは２台の）カメラ６０について重ね合わされることで、平面視画像１０１が生成される。
【００６９】
なお、実際には、画像処理部３５ｆは、座標変換を２段階で実施するのではなく、後述する画像設定部３５ｇにより求められた座標変換および画像合成のためのパラメータを用いて、２台のカメラ６０により撮影された画像を仮想のカメラから見た平面視画像１０１に直接変換する。
【００７０】
具体的には、例えば特開２００３−２５６８７４号公報に記載されるような方法で平面視画像１０１が生成される。ただし、これに限定されるものではなく、カメラ６０により撮影された画像を基に、平面視画像１０１を生成する様々な手法を適用可能である。
【００７１】
（２−６−５−７）画像設定部
画像設定部３５ｇは、例えば初期設定時やメンテナンス時等、カメラ６０が設置又交換される際にカメラ６０によって撮影された画像を基に、通常運転時に画像処理部３５ｆが平面視画像１０１を生成するために必要なパラメータを導出する。すなわち、画像設定部３５ｇは、画像処理部３５ｆが平面視画像１０１を生成するための初期設定を行う。
【００７２】
画像設定部３５ｇは、情報呼出部３５ｇａとパラメータ算出部３５ｇｂとを有する。
【００７３】
（２−６−５−７−１）情報呼出部
情報呼出部３５ｇａは、画像設定部３５ｇにより、画像処理部３５ｆが平面視画像１０１を生成するために必要なパラメータが導出されるタイミングで、基準点の位置情報を呼び出す。情報呼出部３５ｇａに呼び出される基準点の位置情報は、基準点位置記憶領域３４ａに記憶されている基準点の３次元の位置情報と、基準点入力記憶領域３４ｂに記憶されている、カメラ６０の撮影画像に対する基準点の２次元の位置情報とである。
【００７４】
（２−６−５−７−２）パラメータ算出部
パラメータ算出部３５ｇｂは、情報呼出部３５ｇａが呼び出した２種類の位置情報を用いて、画像処理部３５ｆが平面視画像１０１を生成するために必要なパラメータを算出する。
【００７５】
上述のように基準点は３次元情報が既知の点であるため、基準点がカメラ６０の撮影した画像の中でどのように見えるかが分かれば、カメラ６０の撮影位置が算出可能である。カメラ６０の撮影位置が算出されれば、平面視画像１０１を生成するためのパラメータの導出が可能である。
【００７６】
なお、パラメータ算出部３５ｇｂは、パラメータを実際に算出する代わりに、カメラ６０の撮影位置に対して準備されたパラメータを記憶部３４に記憶し、カメラ６０の撮影位置に応じて記憶部３４からパラメータを呼び出すことでパラメータを導出してもよい。この場合でも、カメラ６０の撮影位置の算出は、パラメータ算出部３５ｇｂで実施される。
【００７７】
（２−６−５−８）出力回転部
出力回転部３５ｈは、タッチパネル１０に出力される画像を回転させる。
【００７８】
具体的には、後述するタッチパネル１０の画像回転ボタン１５６が押されると、出力回転部３５ｈは、平面視画像１０１を、平面視画像１０１内の分散テーブル２の図心を中心として回転させる。回転の詳細については、タッチパネル１０の表示に関する説明の中で詳述する。
【００７９】
また、後述するように、タッチパネル１０にはヘッド４０−１〜１４に関する種々の情報（ヘッド４０−１〜１４を識別するための符号、分散テーブル２および各放射フィーダ３−１〜１４の稼動状態、各放射フィーダ３−１〜１４の搬送量等）が表示されるが、出力回転部３５ｈは、これらの情報についても、平面視画像１０１と対応するように回転させる。
【００８０】
（２−７）タッチパネル
タッチパネル１０は、入力と出力の両機能を兼ね備えた液晶ディスプレイ（ＬＣＤ）であり、入力部および出力部として機能する。タッチパネル１０は、組合せ計量に関する各種設定等の入力を受けると共に、組合せ計量装置１の運転状態等を表示する。図６は、タッチパネル１０の表示画面の一例である。
【００８１】
ユーザは、タッチパネル１０に表示されるボタン等を押すことで、組合せ計量装置１に各種入力を行う。タッチパネル１０に入力される情報には、画像設定部３５ｇに使用される、カメラ６０の撮影画像に対する基準点の２次元の位置情報が含まれる。カメラ６０の撮影画像に対する基準点の２次元の位置情報は、タッチパネル１０から入力される基準点情報の一例である。
【００８２】
カメラ６０の撮影画像に対する基準点の２次元の位置情報は、以下のようにして入力される。タッチパネル１０のＬＣＤには、初期設定時やメンテナンス時に１のカメラ６０により撮影された実際の画像、例えば図４が表示される。作業者は、この画像の中の基準点（図４の放射フィーダ３の角部３−１ａ，３−５ａ，３−１２ａ）の位置を、タッチパネル１０により指示する。この操作を繰り返し行って、１のカメラ６０の撮影した画像に対して最低３つの基準点の位置を入力する。他のカメラ６０についても同様の入力操作を行う。タッチパネル１０に入力された、カメラ６０の撮影画像に対する基準点の２次元の位置情報は、基準点入力記憶領域３４ｂに記憶される。
【００８３】
タッチパネル１０の表示および操作については後述する。
【００８４】
（２−８）カメラ
カメラ６０は、分散テーブル２および放射フィーダ３の画像（動画）を撮影する。
【００８５】
カメラ６０は、組合せ計量装置１（組合せ計量装置１の支持部７を含む）の上方の空間であって、分散テーブル２の直上の空間から外れた位置に、作業通路９２の上空にはみ出さないように２台配置される。
【００８６】
より具体的には、カメラ６０は、図１のように、分散テーブル２および放射フィーダ３より上方であって、供給コンベア９０に形成された物品排出口９０ａよりも低い位置に設置される。また、カメラ６０は、分散テーブル２およびヘッド４０の上方の空間にはみ出さないよう、図２のように組合せ計量装置１の支持部７の上方に設置される。なお、カメラ６０は、図１のように、支持部７から上方に延びる支柱７ａにより固定される。また、２台のカメラ６０は、図２のように、平面視において、分散テーブル２の中心に対し、点対称に配置される。カメラ６０のレンズ６０ａは、分散テーブル２の中心方向を向いている。
【００８７】
なお、カメラ６０の配置、向き、および台数は例示であり、これに限定されるものではない。ただし、欠けのない平面視画像１０１を生成するため、分散テーブル２および放射フィーダ３の全体がいずれかのカメラ６０では撮影されるようにカメラ６０は配置される。また、カメラ６０は３台以上であってもよいが、設置費用の観点から台数は少ない方が望ましい。
【００８８】
カメラ６０のレンズ６０ａは、水平画角が９０°以上の広画角レンズである。水平画角が９０°以上のレンズ６０ａが使用されるのは、分散テーブル２およびヘッド４０を、組合せ計量装置１の上方空間であって、供給コンベア９０に形成された物品排出口９０ａよりも低い位置に設置する場合（撮影対象である分散テーブル２およびヘッド４０に近づけて設置する場合）に、少ない台数のカメラ６０で平面視画像の生成に必要な画像を得るためである。
【００８９】
（３）タッチパネルの表示および操作
タッチパネル１０の表示および操作について、特に平面視画像１０１と関連する内容について説明する。
【００９０】
タッチパネル１０の液晶画面には、左側に平面視画像１０１が、右側にレーダーグラフ１０２が、並べて表示される。平面視画像１０１の上方には、組合せ演算の結果を示す数値１０３がほぼリアルタイムに表示される。さらにタッチパネル１０には、表示／非表示切替ボタン１５０〜１５３と、設定ボタン１５４，１５５と、画像回転ボタン１５６とが表示される。
【００９１】
（３−１）平面視画像
平面視画像１０１は、画像処理部３５ｆにより生成された平面視画像１０１であり、分散テーブル２および放射フィーダ３の状況をほぼリアルタイムに示している。平面視画像１０１の周囲に記載される数字１０１ａは平面視画像１０１内のヘッド４０−１〜１４を識別するための符号であるが、同時に放射フィーダ３−１〜１４および計量ホッパ５−１〜１４を識別する符号となっている。
【００９２】
（３−２）レーダーグラフ
レーダーグラフ１０２は、同心円状に配置された半径の異なる６つの円が半径方向に延びる直線により分割された、１４個の扇形形状のエリア１０２ｂを有する。
【００９３】
レーダーグラフ１０２には、分散テーブル２に関する情報と、ヘッド４０−１〜１４に関する情報、特には放射フィーダ３−１〜１４に関する情報とが表示される。放射フィーダ３−１〜１４に関する情報は、放射フィーダ３−１〜１４別に情報が表示される。具体的には、１４個のエリア１０２ｂそれぞれに、１の放射フィーダ３−１〜１４に関する情報が、実際の放射フィーダ３−１〜１４と同じ並びで（放射フィーダ３−１から反時計回りに識別のための数字が大きくなるように）表示される。エリア１０２ｂの、１番外側の円とその１つ内側の円との間の数字１０２ａは、そのエリア１０２ｂがどのヘッド４０−１〜１４の（放射フィーダ３−１〜１４の）情報を表示しているかを示す。
【００９４】
レーダーグラフ１０２の表示についてより具体的に説明する。
【００９５】
図６では、レーダーグラフ１０２内に、分散テーブル２および各放射フィーダ３−１〜１４の運転および停止の表示の他、各放射フィーダ３−１〜１４の振動強度および振動時間（これらの情報を各放射フィーダ３−１〜１４の稼動状態に関する情報と呼ぶ）、各放射フィーダ３−１〜１４の搬送量、分散テーブル２の振動強度が表示されている。
【００９６】
図６では、各放射フィーダ３−１〜１４の振動時間が丸印１０４ａで、各放射フィーダ３−１〜１４の振動強度が三角印１０４ｂで、各放射フィーダ３−１〜１４の搬送量が四角印１０４ｃで、分散テーブル２の振動強度が逆三角印１０４ｄで表示される。前述のように、各放射フィーダ３−１〜１４の振動時間および振動強度と、分散テーブル２の振動強度とは、記憶部３４に記憶されている情報である。各放射フィーダ３−１〜１４の振動時間および振動強度と、分散テーブル２の振動強度とは、初期値、又は、タッチパネル１０からの入力により更新された値である。搬送量は、算出部３５ｂにより算出され、記憶部３４に記憶されている値である。なお、レーダーグラフ１０２では、円の中心から径方向に遠ざかる程大きい値を意味している。
【００９７】
なお、図６から分かるように、平面視画像１０１の周囲に配される数字１０１ａと、レーダーグラフ１０２内の数字１０２ａとは、同じ位置に同じ数字が記載されている。例えば、平面視画像１０１内の分散テーブル２の図心に対しておおよそ３時の方角に位置する数字１０１ａは４であり、レーダーグラフ１０２内の円の中心に対しておおよそ３時の方角に位置する数字１０２ａも４である。言い換えれば、平面視画像１０１内の放射フィーダ３−１〜１４と、レーダーグラフ１０２内の放射フィーダ３−１〜１４に関する情報とは、一目で対応が把握できるように、対応させて表示されている。
【００９８】
また、レーダーグラフ１０２として表示される一部の図形は、作業者の入力を受けるボタンとしての機能も有する。具体的には、エリア１０２ｂの、数字１０２ａの表示される１番外側の円とその１つ内側の円との間の部分は、作業員が数字１０２ａに対応する放射フィーダ３−１〜１４に関する設定を行う際に使用する選択ボタン１５７として機能する。作業員が選択ボタン１５７を押すと、押された選択ボタン１５７部分の数字１０２ａに対応する放射フィーダ３−１〜１４に関する設定、より具体的には、放射フィーダ３−１〜１４の振動時間および振動強度の設定を行うことが可能となる。詳細は後述する。
【００９９】
（３−３）表示／非表示切替ボタン
表示／非表示切替ボタン１５０〜１５３は、それぞれ、レーダーグラフ１０２に各放射フィーダ３−１〜１４の振動時間、振動強度、搬送量、および分散テーブル２の振動強度を表示させる際に使用されるボタンである。作業員が各表示／非表示切替ボタン１５０〜１５３を押すとそれに対応するシンボルがレーダーグラフ１０２上に表示され、再度同じ表示／非表示切替ボタンを押すと、対応するシンボルは非表示となる。
【０１００】
（３−４）設定ボタン
設定ボタン１５４，１５５は、各放射フィーダ３−１〜１４および分散テーブル２に関する設定値を変更する際に使用されるボタンである。具体的には、設定ボタン１５４，１５５を用いて、各放射フィーダ３−１〜１４の振動時間及び振動強度と、分散テーブル２の振動強度と、の設定を行うことが可能である。
【０１０１】
各放射フィーダ３−１〜１４の振動時間を設定する場合には、まず表示／非表示切替ボタン１５０を押して振動時間のシンボルをレーダーグラフ１０２上に表示させる。次に、振動時間を変更したい放射フィーダ３−１〜１４の属するヘッド４０−１〜１４に対応した符号が付された選択ボタン１５７を押し、振動時間の変更対象となる放射フィーダ３−１〜１４を決定する。そして、振動時間を増加させたい場合には設定ボタン１５４を押し、減少させたい場合には設定ボタン１５５を押す。これによって、振動時間の変更対象に選ばれた放射フィーダ３−１〜１４の振動時間を増加又は減少させることができる。なお、振動時間の変更は複数の放射フィーダ３−１〜１４に対して同時に行うことも可能である。
【０１０２】
放射フィーダ３−１〜１４の振動強度を設定する場合についても同様である。
【０１０３】
分散テーブル２の振動強度を設定する場合には、まず表示／非表示切替ボタン１５３を押して分散テーブル２の振動強度のシンボルをレーダーグラフ１０２上に表示させる。そして、振動強度を増加させたい場合には設定ボタン１５４を押し、減少させたい場合には設定ボタン１５５を押す。これによって、分散テーブル２の振動強度を増加又は減少させることができる。
【０１０４】
例えば、タッチパネル１０において、レーダーグラフ１０２からある放射フィーダ３−１〜１４の物品の搬送量が所定の範囲より少ないことが確認され、平面視画像１０１からその放射フィーダ３−１〜１４の搬送力不足と判断された場合には、タッチパネル１０からその放射フィーダ３−１〜１４の振動時間や振動強度を大きくする操作を行うことができる。また、操作の結果についても平面視画像１０１とレーダーグラフ１０２とによりタッチパネル１０から確認できる。
【０１０５】
また、例えば、平面視画像１０１から分散テーブル２の搬送力が不足していると判断された場合には、タッチパネル１０から分散テーブル２の振動強度を大きくする操作を行うことができ、操作の結果を平面視画像１０１で確認できる。
【０１０６】
（３−５）画像回転ボタン
画像回転ボタン１５６は、平面視画像１０１およびレーダーグラフ１０２の表示を回転させるためのボタンである。具体的には、画像回転ボタン１５６を押すことでヘッド４０ひとつ分ずつ、平面視画像１０１およびレーダーグラフ１０２が反時計回りに回転する。つまり、画像回転ボタン１５６が１回押されると、平面視画像１０１においては、現在ヘッド４０−２の画像が表示されている部分にヘッド４０−１の画像が表示されるよう反時計回りに回転した画像がタッチパネル１０に表示される。言い換えれば、本実施例ではヘッド４０の数は１４なので、画像回転ボタン１５６が押されるたびに約２５．７°反時計回りに回転する。これにあわせて、図７の表示のように、ヘッド４０を識別する数字１０１ａも図６の表示からの反時計回りに１つずつずれる。また、レーダーグラフ１０２についても、これに対応して反時計回りに表示が回転する。つまり、図６においてはヘッド４０−２（放射フィーダ３−２）に関する情報が表示されているエリア１０２ｂに、図７のようにヘッド４０−１（放射フィーダ３−１）に関する情報が表示されるように反時計回りに表示が回転し、数字１０２ａも反時計回りに１つずつずれて表示される。
【０１０７】
ただし、分散テーブル２の振動強度に関する逆三角印１０４ｄは、回転すると逆に認識しづらいため、画像回転ボタン１５６を押しても回転しない。
【０１０８】
なお、画像回転のための処理は、出力回転部３５ｈにより行われる。
【０１０９】
（４）組合せ計量装置の特徴
（４−１）
本実施形態に係る組合せ計量装置１は、分散部である分散テーブル２と、１４個の放射フィーダ３−１〜１４と、２台のカメラ６０と、処理部としての制御部３０の有する画像処理部３５ｆと、出力部としてのタッチパネル１０と、を備える。分散テーブル２は、多数の物品の供給を受け付けて分散させる。放射フィーダ３−１〜１４は、分散テーブル２から放射状に延びるように配置され、分散テーブル２により分散された物品を受け付け、分散テーブル２から遠ざかる方向に搬送する。カメラ６０は、分散テーブル２の直上の空間から外れた位置に配置され、分散テーブル２および放射フィーダ３−１〜１４の画像を撮影する。画像処理部３５ｆは、カメラ６０の撮影した画像を合成して分散テーブル２および放射フィーダ３−１〜１４の平面視画像１０１を生成する。タッチパネル１０は、平面視画像１０１を出力する。
【０１１０】
これにより、分散テーブル２および放射フィーダ３−１〜１４の平面視画像１０１が生成され出力されるので、分散テーブル２の直上の空間にカメラを設けることが難しい場合でも、作業員が分散テーブル２および放射フィーダ３―１〜１４の状態を正確に把握しやすい。そのため、異常発生時にも、作業員が平面視画像をもとに異常原因を推定し、直ちに必要な対応をとることが容易になる。例えば、その異常が、組合せ計量装置１の異常であるのか（例えば、物品が供給コンベア９０から供給されていないということはないか）、タッチパネル１０の操作で解消できるものなのか、放射フィーダ３−１〜１４でのつまり発生等現場での対応が必要なものなのか等が判断しやすい。
【０１１１】
また、複数の（２台）のカメラ６０の撮影画像を合成することで平面視画像が生成されるので、物品の供給コンベア９０等の遮蔽物により１台のカメラ６０の撮影画像ではカメラ６０に写らない死角が生じる場合でも、遮蔽物の影響を受けることなく分散テーブル２と放射フィーダ３の状態を把握できる。
【０１１２】
（４−２）
本実施形態に係る組合せ計量装置１は、設定部である画像設定部３５ｇをさらに備える。画像設定部３５ｇは、例えば、初期設定時、メンテナンス時等にカメラ６０によって撮影された画像を基に、通常運転時（第２期間）に画像処理部３５ｆがカメラ６０により撮影された画像を用いて平面視画像１０１を生成するための設定を行う。
【０１１３】
つまり、画像設定部３５ｇが、初期設定時やメンテナンス時等（第１期間）にカメラ６０によって撮影された画像を基に、平面視画像１０１の生成のための設定を行う。つまり、カメラ６０の位置を変えても、第１期間にその位置で撮影されたカメラ６０の画像に基づいて、平面視画像が生成できる。その結果、カメラ６０の設置位置を現場状況に応じて変更できる。すなわち、カメラ６０の設置位置に制限がある場合でも、分散テーブル２と放射フィーダ３との平面視画像を得やすい。
【０１１４】
（４−３）
本実施形態に係る組合せ計量装置１では、入力部としてのタッチパネル１０をさらに備える。画像設定部３５ｇは、基準点入力記憶領域３４ｂに記憶された、タッチパネル１０に入力された、カメラ６０の撮影画像に対する基準点の２次元の位置情報（基準点情報）に基づいて設定を行う。
【０１１５】
これにより、平面視画像の生成のための設定が正確に実行される。その結果、正確な平面視画像を得ることが容易になる。
【０１１６】
（４−４）
本実施形態に係る組合せ計量装置１では、タッチパネル１０に、平面視画像１０１と同時に、分散テーブル２および放射フィーダ３−１〜１４の稼働状態がレーダーグラフ１０２で出力される。
【０１１７】
これにより、分散テーブル２や放射フィーダ３が適切に稼働しているかを１つの画面で認識可能である。その結果、例えば異常時等に、作業員がどのような対策をとればよいかを適切に判断することが容易になる。
【０１１８】
（４−５）
さらに、タッチパネル１０には、分散テーブル２および各放射フィーダ３−１〜１４に対応する位置に放射フィーダ３−１〜１４の稼働状態が出力される。つまり、平面視画像１０１とレーダーグラフ１０２とが対応するように出力される。
【０１１９】
これにより、平面視画像１０１と、各放射フィーダ３−１〜１４の稼動状態とを関連付けて把握することが容易で、作業員の利便性を高めることができる。
【０１２０】
（４−６）
本実施形態に係る組合せ計量装置１は、複数の計量部として複数の計量ホッパ５−１〜１４と、算出部３５ｂとをさらに備える。計量ホッパ５−１〜１４は、放射フィーダ３−１〜１４の外縁側（分散テーブル２から遠ざかる方向）の前方側の端部の下方にそれぞれ配置され、放射フィーダ３−１〜１４から、プールホッパ４−１〜１４を介して、物品を受け、受けた物品の計量を行う。算出部３５ｂは、計量ホッパ５−１〜１４の計量結果を基に、放射フィーダ３−１〜１４別の搬送量を算出する。タッチパネル１０には、平面視画像１０１と同時に、算出部３５ｂの算出結果が出力される。
【０１２１】
これにより、作業員が平面視画像１０１と放射フィーダ３−１〜１４の搬送量とを関連付けて把握すること容易である。その結果、例えば異常時等に、作業員がどのような対策をとればよいかを適切に判断することが容易になる。
【０１２２】
また、タッチパネル１０に表示される平面視画像１０１および放射フィーダ３−１〜１４の搬送量を基に、以下のような対応をとることができる。
【０１２３】
あるヘッド４０−１〜１４における搬送量が少ないときに、平面視画像１０１で該当ヘッド４０−１〜１４の放射フィーダ３−１〜１４を確認する。そして、もし、その放射フィーダ３−１〜１４上に商品が十分にあれば、その放射フィーダ３−１〜１４の振動強度または振動時間を増加させる。一方、もし、その放射フィーダ３−１〜１４上に商品がまばらにしかないときには、分散テーブル２から放射フィーダ３−１〜１４への商品の供給が不十分と判断できるので、分散テーブル２の振動強度または振動時間を増加させるか、分散テーブル２上の商品積載量を多くする。つまり、適切な対応が容易に選択できる。
【０１２４】
（４−７）
さらに、タッチパネル１０には、平面視画像１０１内の各放射フィーダ３−１〜１４に対応する位置に、各放射フィーダ３−１〜１４に関する搬送量の算出結果が出力される。
【０１２５】
これにより、平面視画像１０１と放射フィーダ３−１〜１４の搬送量とを関連付けて把握することがさらに容易になり、作業員の利便性が高められる。
【０１２６】
（４−８）
また、本実施形態に係る組合せ計量装置１では、放射フィーダ３−１〜１４には、各放射フィーダ３−１〜１４を識別するための符号がそれぞれ付される。タッチパネル１０には、平面視画像１０１と同時に、平面視画像１０１内の各放射フィーダ３−１〜１４に対応する位置に符号が出力される。
【０１２７】
これにより、平面視画像１０１から、どの放射フィーダ３−１〜１４に問題が発生しているかが正確に把握できる。
【０１２８】
（４−９）
また、本実施形態に係る組合せ計量装置１では、タッチパネル１０は、平面視画像１０１を、平面視画像１０１内の分散テーブル２の図心を回転中心として平面内で回転させて出力する。
【０１２９】
これにより、作業員が、最も把握しやすい状態に平面視画像１０１を回転させて出力することが可能である。その結果、作業員が平面視画像１０１の内容を誤認することを防止できる。
【０１３０】
（４−１０）
また、本実施形態に係る組合せ計量装置１は、支持部７を更に備える。支持部７は、分散テーブル２、放射フィーダ３−１〜１４、及びカメラ６０を支持する。カメラ６０は、支持部７の上方であって、放射フィーダ３−１〜１４の直上を外れた位置に配置される。
【０１３１】
これにより、カメラ６０が作業員の作業や通行の邪魔になりにくい。組合せ計量装置１の周囲に作業員の作業通路９２が設置されていても、カメラ６０を組合せ計量装置１の支持部７の上方に配置すれば、作業員の通行や作業に影響を与えることが少ない。また、カメラ６０に作業員がぶつかり負傷する等の事故を未然に防ぐことができる。
【０１３２】
（４−１１）
さらに、本実施形態に係る組合せ計量装置１では、カメラ６０は水平画角が９０°以上のレンズ６０ａを有する。
【０１３３】
これにより、撮影対象の近くに（組合せ計量装置１の支持部７の上方に）カメラ６０を配置していても、少ないカメラ６０の台数で（本実施形態では２台で）、分散テーブル２および放射フィーダ３−１〜１４の平面視画像１０１を生成するために必要な画像を得ることができ、カメラ６０の設置費用を抑制できる。
【０１３４】
（５）変形例
（５−１）変形例Ａ
上記実施形態に係る組合せ計量装置１は、図１に示すように放射状に延びた放射フィーダ３の下方に、円周状に１４個の計量ホッパ５を配置した円周形であったが、本発明は、図８の平面図に示すいわゆるリニアタイプの組合せ計量装置にも適用できる。図８において、搬送コンベア２９０は、Ｎ個の供給孔２１２−ｉをもつ供給ホッパ２０２（分散部）に被計量物である物品を落下させる。物品は、各供給孔２１２−ｉに対応した駆動フィーダ２０３−ｉを経て、直線状に配置された計量ホッパ２０５−ｉに投入される。この場合でも、例えば、図８に示す位置にカメラ２６０を設置してその撮影画像を基に平面視画像を生成し、その画像をタッチパネル等の出力部に表示することで、作業員が供給ホッパ２０２および駆動フィーダ２０３−ｉの状態を把握しやすい。なお、カメラ２６０の配置、向き、および数量は例示であり、これに限定されるものではない。
【０１３５】
（５−２）変形例Ｂ
上記の実施形態に係る組合せ計量装置１では、タッチパネル１０に、平面視画像１０１と同時に、分散テーブル２および放射フィーダ３−１〜１４に関する情報が表示されたがこれに限定されるものではない。
【０１３６】
例えば、平面視画像１０１と同時に、組合せ演算部３５ｃにより組合せに選ばれたヘッド４０−１〜１４（計量ホッパ５−１〜１４）が表示されてもよい。例えば、レーダーグラフ１０２において、組合せ演算部３５ｃにより組合せに選ばれたヘッド４０−１〜１４に対応するエリア１０２ｂの色が変わる等の方法で組合せに選ばれたことが示されてもよい。
【０１３７】
また、例えば、平面視画像１０１と同時に、ヘッド４０−１〜１４（計量ホッパ５−１〜１４）の組合せ演算部３５ｃによる選択率（組合せに選ばれる確率）がレーダーグラフ１０２に表示されてもよい。
【０１３８】
この場合でも、平面視画像１０１と、組合せ計量装置１の稼動状態とを関連付けて把握することができ、作業員が異常時等の対応を適切に判断する上で有効である。
【０１３９】
（５−３）変形例Ｃ
上記の実施形態に係る組合せ計量装置１では、タッチパネル１０に、平面視画像１０１とレーダーグラフ１０２とが左右に並べて表示されるが、これに限定されるものではない。例えば、平面視画像１０１とレーダーグラフ１０２とを重ねて表示してもよい。これにより、目視による得られる情報と定量的な情報とを関連付けて理解することが更に容易になる。
【０１４０】
（５−４）変形例Ｄ
上記の実施形態に係る組合せ計量装置１では、タッチパネル１０に、レーダーグラフ１０２により放射フィーダ３−１〜１４の振動時間、振動強度、および搬送量が表示されるが、これに限定されるものではなく、数字でこれらの情報が表示されてもよい。
【０１４１】
（５−５）変形例Ｅ
上記の実施形態に係る組合せ計量装置１では、タッチパネル１０のレーダーグラフ１０２には、放射フィーダ３−１〜１４の振動時間及び振動強度および搬送量と、分散テーブル２の振動強度が表示されたが、これに限定されるものではなく、例えば、分散テーブル２の振動時間等が表示されてもよい。
【０１４２】
この場合、タッチパネル１０からの入力により、分散テーブル２の振動時間等が変更されてもよい。
【０１４３】
（５−６）変形例Ｆ
上記の実施形態に係る組合せ計量装置１では、タッチパネル１０に入力された基準点情報を基に画像設定部３５ｇが画像処理部３５ｆの平面視画像１０１生成のためのパラメータを導出するが、これに限定されるものではない。
【０１４４】
例えば、画像設定部３５ｇは、カメラ６０により撮影された画像から自動で基準点の位置を見つけ出し、画像処理部３５ｆの平面視画像１０１生成のためのパラメータを導出してもよい。
【符号の説明】
【０１４５】
１  組合せ計量装置
２  分散テーブル（分散部）
３（３−１〜１４）  放射フィーダ
５（５−１〜１４）  計量ホッパ
７  支持部
１０  タッチパネル（入力部、出力部）
２０（２０−１〜１４）  ロードセル（計量部）
３５ｂ  算出部
３５ｆ  画像処理部（処理部）
３５ｇ  画像設定部（設定部）
６０  カメラ
６０ａ  レンズ
１０１  平面視画像
１０１ａ  数字（識別のための符号）
【先行技術文献】
【特許文献】
【０１４６】
【特許文献１】特許第３３２５８９７号公報
【図１】
0005785123.tif 000002
【図２】
0005785123.tif 000003
【図３】
0005785123.tif 000004
【図４】
0005785123.tif 000005
【図５】
0005785123.tif 000006
【図６】
0005785123.tif 000007
【図７】
0005785123.tif 000008
【図８】
0005785123.tif 000009